(57)【特許請求の範囲】
【請求項１】
枠に対して、ヒンジを介して取り付けられるドアであって、
複数の縦骨組材と、
複数の横骨組材と、
縦中心に対して前記ヒンジとは反対側の領域の少なくとも一部に設置される補助部材と、
前記縦骨組材、前記横骨組材及び前記補助部材を両側から覆うパネルと、
を備え、
前記補助部材の比重は、前記縦骨組材と前記横骨組材の比重と同じ又はより大きく、
前記縦骨組材と前記横骨組材は、それぞれ上下左右に２本ずつ長方形を形成するように設置される外側縦骨組材及び外側横骨組材と、前記外側縦骨組材及び前記外側横骨組材に囲まれた領域内に格子状に設置される内側縦骨組材及び内側横骨組材と、を有し、
前記補助部材は、前記ヒンジとは反対側の前記外側縦骨組材に対して、隣接して設置される
ことを特徴とするドア。
【請求項２】
枠に対して、ヒンジを介して取り付けられるドアであって、複数の縦骨組材と、複数の横骨組材と、縦中心に対して前記ヒンジとは反対側の領域の少なくとも一部に設置される補助部材と、前記縦骨組材、前記横骨組材及び前記補助部材を両側から覆うパネルと、を備え、前記補助部材の比重は、前記縦骨組材と前記横骨組材の比重と同じ又はより大きいドアと、
前記ドアを回転可能に支持する前記ヒンジと、
前記ヒンジを介して前記ドアが取り付けられる前記枠と、
前記枠を両側で支持する柱と、
を備え、
前記ドアに対して前記ヒンジの反対側に設置される前記柱は、前記ヒンジ側に設置される前記柱より水平方向の断面積が大きい
ことを特徴とするドアの取付構造。
【発明の詳細な説明】
【技術分野】
【０００１】
本発明は、建物に用いるドア及びドア取付構造に関する。
【背景技術】
【０００２】
従来、住宅等の建物において、防音や遮音を目的としたドアが数多く提案されている。また、急激にドアが閉まる時の衝撃音を防止する技術が開示されている（特許文献１）。特許文献１には、通気孔及び通気孔をふさぐための開閉式の蓋が設けられた中空構造の容器をドアと柱の間に設置する技術が記載されている。
【先行技術文献】
【特許文献】
【０００３】
【特許文献１】特開２０１０−２６１２９１号公報
【発明の概要】
【発明が解決しようとする課題】
【０００４】
しかしながら、建物のドアが閉まる時の音を心地良く聞かせるための技術はこれまでほとんど考えられていなかった。
【０００５】
本発明は、ドアが閉まる時に、重厚感及び高級感のある音を発生させるドア及びドア取付構造を提供することを目的とする。
【課題を解決するための手段】
【０００６】
本発明にかかるドアは、
枠に対して、ヒンジを介して取り付けられるドアであって、
複数の縦骨組材と、
複数の横骨組材と、
縦中心に対して前記ヒンジとは反対側の領域の少なくとも一部に設置される補助部材と、
前記縦骨組材、前記横骨組材及び前記補助部材を両側から覆うパネルと、
を備え、
前記補助部材の比重は、前記縦骨組材と前記横骨組材の比重と同じ又はより大きく、
前記縦骨組材と前記横骨組材は、それぞれ上下左右に２本ずつ長方形を形成するように設置される外側縦骨組材及び外側横骨組材と、前記外側縦骨組材及び前記外側横骨組材に囲まれた領域内に格子状に設置される内側縦骨組材及び内側横骨組材と、を有し、
前記補助部材は、前記ヒンジとは反対側の前記外側縦骨組材に対して、隣接して設置される
ことを特徴とする。
【０００８】
本発明にかかるドアは、
前記縦骨組材と前記横骨組材の隙間に設置される芯材をさらに備える
ことを特徴とする。
【００１０】
本発明にかかるドアの取付構造は、
枠に対して、ヒンジを介して取り付けられるドアであって、複数の縦骨組材と、複数の横骨組材と、縦中心に対して前記ヒンジとは反対側の領域の少なくとも一部に設置される補助部材と、前記縦骨組材、前記横骨組材及び前記補助部材を両側から覆うパネルと、を備え、前記補助部材の比重は、前記縦骨組材と前記横骨組材の比重と同じ又はより大きいドアと、
前記ドアを回転可能に支持する前記ヒンジと、
前記ヒンジを介して前記ドアが取り付けられる前記枠と、
前記枠を両側で支持する柱と、
を備え、
前記ドアに対して前記ヒンジの反対側に設置される前記柱は、前記ヒンジ側に設置される前記柱より水平方向の断面積が大きい
ことを特徴とする。
【発明の効果】
【００１１】
本発明にかかるドア及びドア取付構造によれば、ドアが閉まる時に、重厚感及び高級感のある音を発生させることが可能となる。
【図面の簡単な説明】
【００１２】
【図１】第１実施形態のドアの内部構造を示す。
【図２】図１のII−II断面を示す。
【図３】第１実施形態のドアの取付構造を示す。
【図４】第１実施形態のドアと補助部材を使用しないドアの閉鎖時に発生する音の周波数分析を示す。
【図５】第２実施形態のドアの内部構造を示す。
【図６】第３実施形態のドアの内部構造を示す。
【図７】図６のVII−VII断面を示す。
【図８】他の実施形態のドアの取付構造を示す。
【発明を実施するための形態】
【００１３】
以下、図面を参照して本発明にかかるドア１及びドア取付構造の実施形態を説明する。
【００１４】
図１は、第１実施形態のドア１の内部構造を示す。図２は、図１のII−II断面を示す。図３は、第１実施形態のドア１の取付構造を示す。なお、図１は、図２のI−I断面に対応する。
【００１５】
第１実施形態のドア１は、複数の縦骨組材１１と、複数の横骨組材１２と、格子状に形成された縦骨組材１１と横骨組材１２の隙間に設置される芯材１３と、縦中心Ｃに対してヒンジ２１とは反対側の領域の少なくとも一部に設置される補助部材１４と、縦骨組材１１、横骨組材１２、芯材１３及び補助部材１４を両側から覆うパネル１５と、を備える。
【００１６】
第１実施形態の縦骨組材１１と横骨組材１２は、上下左右に２本ずつ長方形を形成するように設置される外側縦骨組材１１ａ及び外側横骨組材１２ａと、外側縦骨組材１１ａ及び外側横骨組材１２ａに囲まれた領域内に設置される内側縦骨組材１１ｂ及び内側横骨組材１２ｂと、を有する。すなわち、縦骨組材１１と横骨組材１２は、格子状に形成される。縦骨組材１１と横骨組材１２の材料は、木材が好ましい。
【００１７】
このように、ドア１の内部に縦骨組材１１と横骨組材１２を設置することで、ドア１の強度を高くすることが可能となる。
【００１８】
第１実施形態の芯材１３は、ハニカム構造に形成された厚紙である。芯材１３は、ハニカム形状の断面がパネル１５の面と平行になるように設置される。また、芯材１３は、縦骨組材１１と横骨組材１２の隙間に設置される。
【００１９】
このように、ドア１に芯材１３を設置することで、ドア１の強度を高くすることが可能となる。
【００２０】
第１実施形態の補助部材１４は、ヒンジ２１とは反対側の外側縦骨組材１１ａに対して上下にわたって隣接して設置される。補助部材１４の比重は、縦骨組材１１と横骨組材１２の比重と同じ又はより大きいことが好ましい。補助部材１４の比重は、０．６以上が好ましい。さらに、補助部材１４の比重は、０．８以上がより好ましい。例えば、木材の比重は、木の種類や乾燥の度合いにより異なるが、０．４〜１．３程度である。そのうち、一般に良く使用される木材の比重は０．４〜０．６程度である。したがって、補助部材１４に木材を使用する場合、比重の大きい種類を使用することが好ましい。ここで、比重は、水の重さを１とした場合の比重とする。
【００２１】
補助部材１４は、適切な重量を確保することが好ましい。そこで、比重の大きな種類を使用することで、補助部材１４の容積を小さくすることが可能となる。また、同じ容積でより重量を確保することが可能となる。
【００２２】
パネル１５は、縦骨組材１１、横骨組材１２、芯材１３及び補助部材１４を両側から覆う。したがって、芯材１３及び補助部材１４は、外側から全く見ることができない。また、縦骨組材１１及び横骨組材１２のうちパネル１５に覆われていない面は、仕上げ材等を塗布又は貼付することで見えなくすることが好ましい。
【００２３】
このような構造の第１実施形態のドア１の取付構造は、図３に示すように、ドア１と、ドア１を回転可能に支持するヒンジ２１と、ヒンジ２１を介してドア１が取り付けられる枠２２と、枠２２を両側で支持する柱２３と、を備える。ドア１は、柱２３の間に形成される枠２２に対して、ヒンジ２１を介して取り付けられる。ドア１は、ヒンジ２１を中心として開閉することができる。そして、ドア１が閉まり、枠２２と接触する際に音が発生する。
【００２４】
この時、重量の大きい補助部材１４を、縦中心Ｃに対してヒンジ２１とは反対側の枠２２と接触する位置近傍に取り付けることで、ドア１が閉まり、枠２２と接触する際に発生する高周波数の振動を抑え、より重厚感及びより高級感のある周波数の低い音を発生させることが可能となる。
【００２５】
ヒンジ２１は、どのような種類でもよいが、隠し丁番を使用すると高級感があるデザインとなり、好ましい。また、ドア１は、どちらの面から見ても、枠２２とほぼ面一となる形状及び取付構造が好ましい。
【００２６】
図４は、第１実施形態のドア１と補助部材１４を使用しないドアの閉鎖時に発生する音の周波数分析を示す。
【００２７】
具体的には、第１実施形態のドア１と補助部材１４を使用しないドアの閉鎖時に発生する音に対して、それぞれＦＦＴ周波数分析を行い、Ａ特性音圧レベルのオーバーオール値が同じになるように、各周波数のレベル値に同一の補正値を加えた上で、周波数特性を比較する。
【００２８】
図４のグラフにおいて、横軸は周波数(Hz)、縦軸は相対レベル(dB)である。また、実線は第１実施形態のドア１に対する周波数の相対レベルを示し、破線は補助部材１４を使用しないドアに対する周波数の相対レベルを示す。
【００２９】
図４のグラフに示すように、重厚感及び高級感に寄与するとされる低周波数において、領域Ａで示すように、補助部材１４を使用しないドアよりも第１実施形態のドア１の相対レベルが大きく、エネルギが大幅に増加していることが確認できる。すなわち、第１実施形態のドア１は、閉鎖時に、重厚感及び高級感のある音を発生させることが可能となる。
【００３０】
図５は、第２実施形態のドア１の内部構造を示す。
【００３１】
第２実施形態のドア１は、上方の外側横骨組材１２ａとそのすぐ下方の内側横骨組材１２ｂ及び下方の外側横骨組材１２ａとそのすぐ上方の内側横骨組材１２ｂで挟まれた領域に補助部材１４を設置した例である。このような位置に、補助部材１４を設置することで、材料を減らすことができる。また、ドア１のハンドル又は鍵等を設置するスペースを確保することが可能となる。さらに、補助部材１４を設置する手間やコストを抑えることが可能となる。なお、図５に示すように、ドア１の縦中心線Ｃは、内側縦骨組材１１ｂと重なる必要ななく、ずれていてもよい。
【００３２】
このような構造の第２実施形態のドア１は、図３に示した第１実施形態のドア１と同様に、柱２３の間に形成される枠２２に対して、ヒンジ２１を介して取り付けられる。ドア１は、ヒンジ２１を中心として開閉することができる。そして、ドア１が閉まり、枠２２と接触する際に音が発生する。
【００３３】
この時、重量の大きい補助部材１４を、縦中心Ｃに対してヒンジ２１とは反対側の枠２２と接触する位置近傍に取り付けることで、ドア１が閉まり、枠２２と接触する際に発生する高周波数の振動を抑え、重厚感及び高級感のある周波数の低い音を発生させることが可能となる。
【００３４】
図６は、第３実施形態のドア１の内部構造を示す。図７は、図６のVII−VII断面を示す。なお、図６は、図７のVI−VI断面に対応する。
【００３５】
第３実施形態のドア１は、縦中心Ｃに対してヒンジ２１とは反対側の縦骨組材１１に近い領域全てを埋めるように補助部材１４を設置した例である。補助部材１４は、外側縦骨組材１１ａと外側横骨組材１２ａとで囲まれる領域のうち、縦中心Ｃに対してヒンジ２１とは反対側の芯材１３が設置されていない領域に設置される。
【００３６】
このような構造の第３実施形態のドア１は、図３に示した第１実施形態のドア１と同様に、柱２３の間に形成される枠２２に対して、ヒンジ２１を介して取り付けられる。ドア１は、ヒンジ２１を中心として開閉することができる。そして、ドア１が閉まり、枠２２と接触する際に音が発生する。
【００３７】
この時、重量の大きい補助部材１４を、縦中心Ｃに対してヒンジ２１とは反対側の枠２２と接触する位置近傍に取り付けることで、ドア１の強度を高くすることができ、ドア１が閉まり、枠２２と接触する際に発生する高周波数の振動を抑え、より重厚感及びより高級感のある周波数の低い音を発生させることが可能となる。
【００３８】
図８は、他の実施形態のドア１の取付構造を示す。
【００３９】
他の実施形態のドア１の取付構造は、ドア１と、ドア１を回転可能に支持するヒンジ２１と、ヒンジ２１を介してドア１が取り付けられる枠２２と、枠２２を両側で支持する柱２３と、を備え、ドア１に対してヒンジ２１の反対側に設置される柱２３は、ヒンジ２１側に設置される柱２３より水平方向の断面積が大きい。柱２３の数は、１本でも何本でもよい。ヒンジ２１の反対側に設置される柱２３とヒンジ２１側に設置される柱２３は、同じ材料が好ましい。
【００４０】
図８に示すドア１の取付構造は、ヒンジ２１の反対側の柱２３を２本並べて設置したものである。図８に示したドア１は、図３に示した第１実施形態のドア１と同様に、柱２３の間に形成される枠２２に対して、ヒンジ２１を介して取り付けられる。ドア１は、ヒンジ２１を中心として開閉することができる。そして、ドア１が閉まり、枠２２と接触する際に音が発生する。
【００４１】
このように、図８に示したドア１の取付構造は、ヒンジ２１とは反対側の柱２３を２本並べることで、枠２２と接触する際のドア１及び枠２２の両方の高周波数の振動を抑え、ドア１が閉まる時に、より重厚感及びより高級感のある低い音を発生させることが可能となる。
【００４２】
なお、本実施形態の補助部材１４の材料は、例えば、木材、金属、ウレタン等の重量が確保できる材料が好ましい。また、芯材１３は、ハニカム形状の厚紙だけでなく、他の材料でもよい。さらに、芯材１３は、設置しなくてもよい。また、内側縦骨組材１１ｂ及び内側横骨組材１２ｂの配置は、本実施形態に限らず、どのように配置してもよい。さらに、ドア１のパネル１５に窓や開口等を設置するための空間を設けてもよい。
【００４３】
以上、本実施形態のドア１によれば、枠２２に対して、ヒンジ２１を介して取り付けられるドア１であって、複数の縦骨組材１１と、複数の横骨組材１２と、縦中心Ｃに対してヒンジ２１とは反対側の領域の少なくとも一部に設置される補助部材１４と、縦骨組材１１、横骨組材１２及び補助部材１４を両側から覆うパネル１５と、を備え、補助部材１４の比重は、縦骨組材１１と横骨組材１２の比重と同じ又はより大きいので、ドア１が閉まり、枠２２と接触する際に発生する高周波数の振動を抑え、重厚感及び高級感のある周波数の低い音を発生させることが可能となる。
【００４４】
また、本実施形態のドア１によれば、縦骨組材１１と横骨組材１２は、それぞれ上下左右に２本ずつ長方形を形成するように設置される外側縦骨組材１１ａ及び外側横骨組材１２ａと、外側縦骨組材１１ａ及び外側横骨組材１２ａに囲まれた領域内に格子状に設置される内側縦骨組材１１ｂ及び内側横骨組材１２ｂと、を有するので、ドア１の強度を高くすることができ、ドア１が閉まり、枠２２と接触する際に発生する高周波数の振動をさらに抑え、より重厚感及びより高級感のある周波数の低い音を発生させることが可能となる。
【００４５】
また、本実施形態のドア１によれば、縦骨組材１１と横骨組材１２の隙間に設置される芯材１３をさらに備えるので、ドア１の強度を高くすることができ、ドア１が閉まり、枠２２と接触する際に発生する高周波数の振動をさらに抑え、より重厚感及びより高級感のある周波数の低い音を発生させることが可能となる。
【００４６】
また、本実施形態のドア１によれば、補助部材１４は、ヒンジ２１とは反対側の外側縦骨組材１１に対して、隣接して設置されるので、ドア１が閉まり、枠２２と接触する際に発生する高周波数の振動をさらに抑え、より重厚感及びより高級感のある周波数の低い音を発生させることが可能となる。
【００４７】
本実施形態のドア１の取付構造によれば、ドア１と、ドア１を回転可能に支持するヒンジ２１と、ヒンジ２１を介してドア１が取り付けられる枠２２と、枠２２を両側で支持する柱２３と、を備え、ドア１に対してヒンジ２１の反対側に設置される柱２３は、ヒンジ２１側に設置される柱２３より水平方向の断面積が大きいので、ドア１が閉まり、枠２２と接触する際に発生する高周波数の振動を抑え、より重厚感及びより高級感のある周波数の低い音を発生させることが可能となる。
【００４８】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００４９】
１…ドア
１１…縦骨組材
１１ａ…外側縦骨組材
１１ｂ…内側縦骨組材
１２…横骨組材
１２ａ…外側横骨組材
１２ｂ…内側横骨組材
１３…芯材
１４…補助部材
１５…パネル
２１…ヒンジ
２２…枠
２３…柱
【図１】
0006754523.tif 000002
【図２】
0006754523.tif 000003
【図３】
0006754523.tif 000004
【図４】
0006754523.tif 000005
【図５】
0006754523.tif 000006
【図６】
0006754523.tif 000007
【図７】
0006754523.tif 000008
【図８】
0006754523.tif 000009